【手続補正書】
【提出日】令和2年12月24日(2020.12.24)
【手続補正１】
【補正対象書類名】特許請求の範囲
【補正対象項目名】全文
【補正方法】変更
【補正の内容】
【特許請求の範囲】
【請求項１】
ある種のサービスをユーザに提供するシステムであって、
当該システムのユーザの通信端末と通信可能な管理サーバを含み、
当該システムは、前記サービスのユーザがそのサービスを利用することの対価としての料金を決済するために、当該システムと同種のサービスをユーザに提供する第２のシステムであって電子決済に対応可能であるものを用いて前記ユーザが前記料金を電子決済することを可能とし、そのために電子決済モードを実行し、
前記第２のシステムは、
本来、当該第２のシステムのユーザの通信端末と通信可能な第２の管理サーバと、
本来、当該第２のシステムのユーザのために電子決済を行う決済サーバであって、前記第２の管理サーバと通信可能であるものと
を含み、
当該システムは、前記電子決済モードにおいて、当該システムのユーザの通信端末が、前記管理サーバを経由するかまたは経由せずに前記第２の管理サーバにアクセスし、それにより、前記決済サーバを用いて前記料金について電子決済を行い、その電子決済の終了後、前記第２の管理サーバが前記管理サーバを経由するかまたは経由せずに当該システムのユーザの通信端末に、前記電子決済が完了したことを表す決済完了信号を送信する電子決済対応型サービス提供システム。
【請求項２】
前記第２のシステムのうちの電子決済部は、当該システムが行うべき電子決済を代行する請求項１に記載の電子決済対応型サービス提供システム。
【請求項３】
前記サービスは、自転車、自動車または自動二輪車を含む車両をユーザが駐車するためのスペースをそのユーザに貸与するサービスおよび／または自転車、自動車または自動二輪車を含む車両をユーザに貸与するサービスを含む請求項１または２に記載の電子決済対応型サービス提供システム。
【請求項４】
駐車場をユーザに貸与するためにその駐車場を管理する駐車場管理システムであって、
当該駐車場管理システムのユーザの通信端末と通信可能な管理サーバを含み、
当該システムは、前記駐車場のユーザがその駐車場を利用することの対価としての駐車料金を決済するために、第２の駐車場管理システムであって電子決済に対応可能であるものを用いて前記ユーザが前記駐車料金を電子決済することを可能とし、そのために電子決済モードを実行し、
前記第２の駐車場管理システムは、
本来、当該第２の駐車場管理システムのユーザの通信端末と通信する第２の管理サーバと、
本来、当該第２の駐車場管理システムのユーザのために電子決済を行う決済サーバであって、前記第２の管理サーバと通信可能であるものと
を含み、
当該駐車場管理システムは、前記電子決済モードにおいて、当該駐車場管理システムのユーザの通信端末が、前記管理サーバを経由するかまたは経由せずに前記第２の管理サーバにアクセスし、それにより、前記決済サーバを用いて前記駐車料金について電子決済を行い、その電子決済の終了後、前記第２の管理サーバが前記管理サーバを経由するかまたは経由せずに当該駐車場管理システムのユーザの通信端末に、前記電子決済が完了したことを表す決済完了信号を送信する電子決済対応型駐車場管理システム。
【請求項５】
請求項１ないし３のいずれかに記載の電子決済対応型サービス提供システムにおけるユーザの通信端末としてコンピュータを機能させるためのプログラム。
【請求項６】
請求項１ないし３のいずれかに記載の電子決済対応型サービス提供システムにおける管理サーバとしてコンピュータを機能させるためのプログラム。
【請求項７】
請求項５または６に記載のプログラムをコンピュータ読み取り可能に記録した記録媒体。
【請求項８】
ある種のサービスをユーザに提供する第１のシステムと、その第１のシステムと同種のサービスをユーザに提供する第２のシステムであって電子決済に対応可能であるものとを含む電子決済対応型システム組合せ体であって、
前記第１のシステムは、ユーザの通信端末と通信可能な第１の管理サーバを含み、
その第１のシステムは、前記サービスのユーザがそのサービスを利用することの対価としての料金を決済するために、前記第２のシステムを用いて前記ユーザが前記料金を電子決済することを可能とし、そのために電子決済モードを実行し、
前記第２のシステムは、
本来、当該第２のシステムのユーザの通信端末と通信可能な第２の管理サーバと、
本来、当該第２のシステムのユーザのために電子決済を行う決済サーバであって、前記第２の管理サーバと通信可能であるものと
を含み、
前記第１のシステムは、前記電子決済モードにおいて、当該第１のシステムのユーザの通信端末が、前記第１の管理サーバを経由するかまたは経由せずに前記第２の管理サーバにアクセスし、それにより、前記決済サーバを用いて前記料金について電子決済を行い、その電子決済の終了後、前記第２の管理サーバが前記第１の管理サーバを経由するかまたは経由せずに前記第１のシステムのユーザの通信端末に、前記電子決済が完了したことを表す決済完了信号を送信する電子決済対応型システム組合せ体。
【手続補正２】
【補正対象書類名】明細書
【補正対象項目名】発明の名称
【補正方法】変更
【補正の内容】
【発明の名称】電子決済対応型のサービス提供システムおよび駐車場管理システムならびにシステム組合せ体
【手続補正３】
【補正対象書類名】明細書
【補正対象項目名】０００１
【補正方法】変更
【補正の内容】
【０００１】
本発明は、第１のシステムにおいてある種のサービスをユーザに提供する技術に関し、特に、電子決済に対応可能な第２のシステムを利用することにより、前記ユーザが電子決済を行うことを可能にする技術に関するものである。
【手続補正４】
【補正対象書類名】明細書
【補正対象項目名】００１５
【補正方法】変更
【補正の内容】
【００１５】
このような事情を背景とし、本発明は、第１のシステムにおいてある種のサービスをユーザに提供する技術であって、電子決済に対応可能な第２のシステムのうちの電子決済部を利用することにより、前記ユーザが電子決済を行うことを可能にする技術を提供することを課題としてなされたものである。
【手続補正５】
【補正対象書類名】明細書
【補正対象項目名】００１６
【補正方法】変更
【補正の内容】
【００１６】
その課題を解決するために、本発明の第１のアスペクトによれば、ある種のサービスをユーザに提供するシステムであって、当該システムのユーザの通信端末と通信可能な管理サーバを含み、
当該システムは、前記サービスのユーザがそのサービスを利用することの対価としての料金を決済するために、当該システムと同種のサービスをユーザに提供する第２のシステムであって電子決済に対応可能であるものを用いて前記ユーザが前記料金を電子決済することを可能とし、そのために電子決済モードを実行し、
前記第２のシステムは、
本来、当該第２のシステムのユーザの通信端末と通信可能な第２の管理サーバと、
本来、当該第２のシステムのユーザのために電子決済を行う決済サーバであって、前記第２の管理サーバと通信可能であるものと
を含み、
当該システムは、前記電子決済モードにおいて、当該システムのユーザの通信端末が、前記管理サーバを経由するかまたは経由せずに前記第２の管理サーバにアクセスし、それにより、前記決済サーバを用いて前記料金について電子決済を行い、その電子決済の終了後、前記第２の管理サーバが前記管理サーバを経由するかまたは経由せずに当該システムのユーザの通信端末に、前記電子決済が完了したことを表す決済完了信号を送信する電子決済対応型サービス提供システムが提供される。
また、本発明の第２のアスペクトによれば、駐車場をユーザに貸与するためにその駐車場を管理する駐車場管理システムであって、
当該駐車場管理システムのユーザの通信端末と通信可能な管理サーバを含み、
当該システムは、前記駐車場のユーザがその駐車場を利用することの対価としての駐車料金を決済するために、第２の駐車場管理システムであって電子決済に対応可能であるものを用いて前記ユーザが前記駐車料金を電子決済することを可能とし、そのために電子決済モードを実行し、
前記第２の駐車場管理システムは、
本来、当該第２の駐車場管理システムのユーザの通信端末と通信する第２の管理サーバと、
本来、当該第２の駐車場管理システムのユーザのために電子決済を行う決済サーバであって、前記第２の管理サーバと通信可能であるものと
を含み、
当該駐車場管理システムは、前記電子決済モードにおいて、当該駐車場管理システムのユーザの通信端末が、前記管理サーバを経由するかまたは経由せずに前記第２の管理サーバにアクセスし、それにより、前記決済サーバを用いて前記駐車料金について電子決済を行い、その電子決済の終了後、前記第２の管理サーバが前記管理サーバを経由するかまたは経由せずに当該駐車場管理システムのユーザの通信端末に、前記電子決済が完了したことを表す決済完了信号を送信する電子決済対応型駐車場管理システムが提供される。
また、本発明の第１の側面によれば、ある種のサービスをユーザに提供するシステムであって、
ユーザによる現金決済またはカード決済である非電子決済を可能にする非電子決済実行装置と、
その非電子決済実行装置と通信可能な管理サーバと
を含み、
当該システムは、単独では、電子決済に対応しないが、当該システムと同種のサービスをユーザに提供する第２のシステムであって電子決済に対応するものとの協働により、電子決済モードを実行し、
前記第２のシステムは、
ユーザの通信端末と通信可能な第２の管理サーバと、
ユーザによる電子決済を可能とする決済サーバであって、前記第２の管理サーバと通信可能であるものと
を含み、
当該システムは、前記電子決済モードにおいて、ユーザの通信端末が、前記管理サーバを経由するかまたは経由せずに前記第２の管理サーバにアクセスし、それにより、前記決済サーバを用いて電子決済を行い、その電子決済の終了後、前記第２の管理サーバが前記管理サーバを経由するかまたは経由せずに前記非電子決済実行装置に、前記電子決済が完了したことを表す決済完了信号を送信する電子決済対応型サービス提供システムが提供される。